【手続補正書】
【提出日】平成26年3月18日(2014.3.18)
【手続補正１】
【補正対象書類名】明細書
【補正対象項目名】００５３
【補正方法】変更
【補正の内容】
【００５３】
本発明の図２、図３、図６、図７、図１０、図１１、図１４、および図１５に示す実施形態における、より好ましくない選択は、冷却された第１の部分３２ａにセパレーター器を配置すること、冷却された第２の部分３３ａにセパレーター器を配置すること、その内部で分離された蒸気ストリームを合流して蒸気ストリーム３４を形成すること、およびその内部で分離された液体ストリームを合流して液体ストリーム３５を形成することである。本発明の別のより好ましくない選択は、図２、図３、図４、図５、図６、図７、図８、及び図９に示すフィード冷却セクション１１８ａ内部の別個の熱交換手段、または図１０、図１１、図１２、図１３、図１４、図１５、図１６、及び図１７に示す熱交換器１０中の別個のパスにおいてストリーム３７を冷却し（ストリーム３７とストリーム３６またはストリーム３３ａとを合流して、合流したストリーム３８を形成するのではなく）、冷却されたストリームを個々の膨張デバイス中で膨張し、そして膨張させたストリームを吸収セクション１１８ｄの中間領域に供給することである。
【手続補正２】
【補正対象書類名】特許請求の範囲
【補正対象項目名】全文
【補正方法】変更
【補正の内容】
【特許請求の範囲】
【請求項１】
メタン、Ｃ２成分、Ｃ３成分、およびより重質の炭化水素成分を含有するガスストリーム３１を、揮発性の残留ガス留分４６と、前記Ｃ２分の大部分、前記Ｃ３成分の大部分、および前記より重質の炭化水素成分の大部分を含有するか、または前記Ｃ３分の大部分、および前記より重質の炭化水素成分の大部分を含有する相対的に揮発性が低い留分４４とに分離するための方法であって、
（１）前記ガスストリーム３１、３４を第１の部分３２および第２の部分３３に分離し、
（２）前記第１の部分３２を冷却し（１０）、
（３）前記第２の部分３３を冷却し（１１８ｅ）、
（４）前記冷却された第１の部分３２ａと前記冷却された第２の部分３３ａとを合流し、冷却されたガスストリームを形成し（３１ａ、３４）、
（５）前記冷却されたガスストリーム３１ａ、３４を、第１のストリーム３６および第２のストリーム３９に分離し、
（６）前記第１のストリーム（３６、３８）を冷却し（１０）、その実質的な全て３８ａを凝縮し、続いて、より低圧に膨張させて（１４）さらに冷却し（３８ｂ）、
（７）前記膨張させて冷却した第１のストリーム３８ｂを、処理組立体１１８に収容された第１の吸収手段１１８ｃと第２の吸収手段１１８ｄとの間にフィードとして供給し、前記第１の吸収手段１１８ｃを前記第２の吸収手段１１８ｄよりも上方に配置し、
（８）前記第２のストリーム３９を、前記より低圧に膨張させて（１５）、底部フィード３９ａとして前記第２の吸収手段１１８ｄに供給し、
（９）前記第１の吸収手段１１８ｃの上部領域から蒸留蒸気ストリーム４１を収集し、加熱し（１０）、
（１０）前記加熱された蒸留蒸気ストリーム４１ａをより高圧（４１ｂ、４１ｃ、４１ｄ）に圧縮し（１６、２０）、続いて、前記揮発性の残留ガス留分４６と圧縮再循環ストリーム４５とに分離し、
（１１）前記圧縮再循環ストリーム４５を冷却し（１０）、その実質的な全て（４５ａ）を凝縮し、
（１２）前記実質的に凝縮された圧縮再循環ストリーム４５ａを、前記より低圧に膨張させて（２２）、頂部へのフィード４５ｂとして前記第１の吸収手段１１８ｃに供給し、
（１３）前記蒸留蒸気ストリーム４１の前記加熱１０を、１つ以上の熱交換手段１０により達成し、これにより、前記工程（２）、（６）、および（１１）における冷却（１０）の少なくとも一部を供給し、
（１４）前記第２の吸収手段１１８ｄの下部領域から蒸留液体ストリームを収集し、前記処理組立体１１８に収容された熱および物質移動手段１１８ｅにより加熱し、これにより、前記工程（３）における冷却１１８ｅの少なくとも一部を供給しつつ、前記蒸留液体ストリームから出たより高い揮発性成分を同時にストリッピングし、続いて、前記加熱されてストリッピングされた蒸留液体ストリームを、前記相対的に揮発性が低い留分４４として前記処理組立体から放出し、
（１５）前記第１の吸収手段１１８ｃおよび第２の吸収手段１１８ｄに対する前記フィードストリーム４５ｂ、３８ｂ、３９ａの量および温度を、前記相対的に揮発性が低い留分４４中の成分の大部分が回収されるような温度に前記第１の吸収手段１１８ｃの前記上部領域の温度を維持するために有効にする、方法。
【請求項２】
（ａ）前記冷却された第１の部分３２ａと前記冷却された第２の部分３３ａとを合流し、部分的に凝縮されたガスストリーム３１ａを形成し、
（ｂ）前記部分的に凝縮されたガスストリーム３１ａを分離手段１２に供給し、そこで分離することによって、蒸気ストリーム３４と少なくとも１つの液体ストリーム３５とを提供し、
（ｃ）前記蒸気ストリーム３４を前記第１のストリーム３６および第２のストリーム３９に分離し、
（ｄ）前記少なくとも１つの液体ストリーム３５の少なくとも一部４０を、前記より低圧まで膨張させ（１７）、追加的な底部フィード４０ａとして前記第２の吸収手段１１８ｄへ供給する、
請求項１に記載の方法。
【請求項３】
（ａ）前記第１のストリーム３６と前記少なくとも１つの液体ストリーム３５の少なくとも一部３７とを合流し、合流したストリーム３８を形成し、
（ｂ）前記合流したストリーム３８を冷却し（１０）、その実質的な全て３８ａを凝縮し、続いて、より低圧に膨張させて（１４）さらに冷却（３８ｂ）し、
（ｃ）前記膨張させて冷却した合流したストリーム３８ｂを、前記第１の吸収手段１１８ｃと第２の吸収手段１１８ｄとの間に前記フィードを供給し、
（ｄ）前記少なくとも１つの液体ストリーム３５の残りの全ての部分４０を、前記より低圧に膨張させ（１７）、前記追加的な底部フィードとして前記第２の吸収手段１１８ｄに供給する、
請求項２に記載の方法。
【請求項４】
（ａ）前記第１の部分３２を冷却し（１０）、続いて、より低圧３４ａに膨張させ（１５）、
（ｂ）前記第２の部分３３を冷却し（１１８ｅ、１０）、その実質的な全て３８ａを凝縮し、続いて、前記より低圧に膨張させて（１４）さらに冷却し（３８ｂ）、
（ｃ）前記膨張させて冷却された第２の部分３８ｂを、前記第１の吸収手段１１８ｃと第２の吸収手段１１８ｄとの間に前記フィードとして供給し、
（ｄ）前記膨張させて冷却された第１の部分３４ａを、前記底部フィードとして前記第２の吸収手段１１８ｄに供給する、
請求項１に記載の方法。
【請求項５】
（ａ）前記第１の部分３２をその部分的な凝縮（３２ａ）に十分となるように冷却し（１０）、
（ｂ）前記部分的に凝縮された第１の部分３２ａを分離手段１２に供給し、そこで分離することによって、蒸気ストリーム３４と少なくとも１つの液体ストリーム３５とを提供し、
（ｃ）前記蒸気ストリーム３４を、前記より低圧に膨張させて（１５）、前記第１の底部フィード３４ａとして前記第２の吸収手段１１８ｄに供給し、
（ｄ）前記少なくとも１つの液体ストリーム３５の少なくとも一部４０を、前記より低圧に膨張させ（１７）、追加的な底部フィード４０ａとして、前記第２の吸収手段１１８ｄに供給する、
請求項４に記載の方法。
【請求項６】
（ａ）前記第２の部分３３を冷却し（１１８ｅ）、続いて、前記少なくとも１つの液体ストリーム３５の少なくとも一部３７と合流させて、合流したストリーム３８を形成し、
（ｂ）前記合流したストリーム３８を冷却し（１０）、その実質的な全て３８ａを凝縮し、続いて、より低圧に膨張させて（１４）さらに冷却し（３８ｂ）、
（ｃ）前記膨張させて冷却した合流したストリーム３８ｂを、前記第１の吸収手段１１８ｃと第２の吸収手段１１８ｄとの間に前記フィードとして供給し、
（ｄ）前記少なくとも１つの液体ストリーム３５の残りの全ての部分４０を、前記より低圧に膨張させて（１７）、前記追加的な底部フィード４０ａとして前記第２の吸収手段１１８ｄに供給する、
請求項５に記載の方法。
【請求項７】
（１）前記熱および物質移動手段１１８ｅを上部および下部領域に配置し、
（２）前記膨張された前記少なくとも１つの液体ストリーム４０ａの少なくとも一部を、前記処理組立体１１８における前記熱および物質移動手段１１８ｅの前記上部領域と前記下部領域との間に入るように供給する、請求項２または５に記載の方法。
【請求項８】
（１）前記熱および物質移動手段１１８ｅを上部および下部領域に配置し、
（２）前記膨張された前記少なくとも１つの液体ストリーム４０ａの残りの全ての部分を、前記処理組立体１１８における前記熱および物質移動手段１１８ｅの前記上部領域と前記下部領域との間に入るように供給する、請求項３または６に記載の方法。
【請求項９】
前記分離手段１１８ｆを前記処理組立体１１８に収容する、請求項２、３、５、６、７または８に記載の方法。
【請求項１０】
（１）ガス収集手段１１８ｆを前記処理組立体１１８に収容し、
（２）外部の冷却媒体に通じる１つ以上のパスを含む追加的な熱および物質移動手段を、前記ガス収集手段１１８ｆ内部に含み、
（３）前記冷却されたガスストリーム３１ａを前記ガス収集手段１１８ｆに供給し、前記外部の冷却媒体によりさらに冷却される前記追加的な熱および物質移動手段に導き、
（４）前記さらに冷却されたガスストリーム３４を、前記第１のストリーム３６と第２のストリーム３９とに分離する、
請求項１に記載の方法。
【請求項１１】
（１）ガス収集手段１１８ｆを前記処理組立体１１８に収容し、
（２）外部の冷却媒体に通じる１つ以上のパスを含む追加的な熱および物質移動手段を、前記ガス収集手段１１８ｆ内部に含み、
（３）前記冷却された第１の部分３２ａを前記ガス収集手段１１８ｆに供給し、前記外部の冷却媒体によりさらに冷却される前記追加的な熱および物質移動手段に導き、
（４）前記さらに冷却された第１の部分３４を、前記より低圧に膨張させ（１５）、続いて、前記底部フィード３４ａとして前記第２の吸収手段１１８ｄに供給する、
請求項４に記載の方法。
【請求項１２】
（１）外部の冷却媒体に通じる１つ以上のパスを含む追加的な熱および物質移動手段を、前記分離手段１２内部に含み、
（２）前記蒸気ストリームを、前記外部の冷却媒体により冷却される前記追加的な熱および物質移動手段に導き、追加的な凝縮物を形成し、
（３）前記凝縮物を、前記そこで分離された少なくとも１つの液体ストリーム３５の一部とする、請求項２、３、５、６、７、８または９に記載の方法。
【請求項１３】
前記熱および物質移動手段１１８ｅは、前記蒸留液体ストリームから出た前記より高い揮発性成分を前記ストリッピングするための、前記第２の部分３３により供給される加熱を補う外部の加熱媒体に通じる１つ以上のパスを含む、請求項１、２、３、４、５、６、７、８、９、１０、１１、または１２に記載の方法。
【請求項１４】
メタン、Ｃ２成分、Ｃ３成分およびより重質の炭化水素成分を含有するガスストリーム３１を、揮発性の残留ガス留分４６と、前記Ｃ２成分の大部分、前記Ｃ３成分の大部分、および前記より重質の炭化水素成分の大部分を含有するか、または、前記Ｃ３成分の大部分、および前記より重質の炭化水素成分の大部分を含有する相対的に揮発性が低い留分４４とに分離するための装置であって、
（１）前記ガスストリーム３１を第１の部分３２と第２の部分３３とに分離する第１の分離手段と、
（２）前記第１の部分３２を受け入れ、それを冷却する（３２ａ）、前記第１の分離手段に接続された熱交換手段１０と、
（３）前記第２の部分３３を受け入れ、それを冷却する（３３ａ）、前記第１の分離手段に接続され、かつ処理組立体１１８に収容された熱および物質移動手段１１８ｅと、
（４）前記熱交換手段１０並びに前記熱および物質移動手段１１８ｅに接続されており、前記冷却された第１の部分３２ａおよび前記冷却された第２の部分３３ａを受け入れ、冷却されたガスストリーム３１ａ、３４を形成する合流手段と、
（５）前記合流手段に接続されており、前記冷却されたガスストリーム３１ａ、３４を受け入れ、それを第１のストリーム３６および第２のストリーム３９に分離する第２の分離手段と、
（６）前記第２の分離手段１０にさらに接続されており、前記第１のストリーム３６、３８を受け入れ、それ３８ａを実質的に凝縮するように十分に冷却する前記熱交換手段と、
（７）前記熱交換手段１０に接続されており、前記実質的に凝縮された第１のストリーム３８ａを受け入れ、それをより低圧３８ｂに膨張する第１の膨張手段１４と、
（８）前記第１の膨張手段１４に接続され、かつ前記処理組立体１１８に収容されており、それらの間のフィードとして、前記膨張させて冷却した第１のストリーム３８ｂを受け入れる第１の吸収手段１１８ｃおよび第２の吸収手段１１８ｄであって、前記第１の吸収手段１１８ｃが前記第２の吸収手段１１８ｄよりも上方に配置される吸収手段と、
（９）前記第２の分離手段に接続されており、前記第２のストリーム３９を受け入れ、それを前記より低圧３９ａに膨張する第２の膨張手段１５であって、底部フィードとして前記膨張された第２のストリームをそこ３９ａに供給するように、前記第２の吸収手段１１８ｄにさらに接続された第２の膨張手段１５と、
（１０）前記第１の吸収手段１１８ｃに接続され、かつ前記処理組立体１１８に収容されており、前記第１の吸収手段１１８ｃの上部領域から蒸留蒸気ストリームを受け入れる蒸気収集手段１１８ｂと、
（１１）前記蒸気収集手段１１８ｂにさらに接続されており、前記蒸留蒸気ストリームを受け入れ、それを加熱し、前記工程（２）および（６）における冷却１０の少なくとも一部を供給する前記熱交換手段１０と、
（１２）前記熱交換手段１０に接続されており、前記加熱された蒸留蒸気ストリーム４１ａを受け入れ、それをより高圧（４１ｂ、４１ｃ）に圧縮する圧縮手段（１６、２０）と、
（１３）前記圧縮手段２０に接続されており、前記圧縮された蒸留蒸気ストリーム４１ｃを受け入れ、それ４１ｄを冷却する冷却手段２１と、
（１４）前記冷却手段２１に接続されており、前記冷却されて圧縮された蒸留蒸気ストリーム４１ｄを受け入れ、それを前記揮発性の残留ガス留分４６と圧縮再循環ストリーム４５とに分離する第３の分離手段と、
（１５）前記第３の分離手段にさらに接続されており、前記圧縮再循環ストリーム４５を受け入れ、それ４５ａを実質的に凝縮するように十分に冷却し、前記工程（１１）における加熱１０の少なくとも一部を供給する前記熱交換手段１０と、
（１６）前記熱交換手段１０に接続されており、前記実質的に凝縮された圧縮再循環ストリーム４５ａを受け入れ、それを前記より低圧４５ｂに膨張させる第３の膨張手段２２であって、前記第１の吸収手段１１８ｃにさらに接続されており、頂部へのフィードとして前記膨張された再循環ストリーム４５ｂをそこに供給する第３の膨張手段２２と、
（１７）前記第２の吸収手段１１８ｄに接続され、かつ前記処理組立体１１８に収容されており、前記第２の吸収手段１１８ｄの下部領域からの蒸留液体ストリームを受け入れる液体収集手段と、
（１８）前記液体収集手段にさらに接続されており、前記蒸留液体ストリームを受け入れ、それを加熱し、前記工程（３）における冷却の少なくとも一部を供給しつつ、前記蒸留液体ストリームから出たより高い揮発性成分を同時にストリッピングし、続いて、前記加熱されてストリッピングされた蒸留液体ストリームを、前記相対的に揮発性が低い留分４４として前記処理組立体１１８から放出する前記熱および物質移動手段１１８ｅと、
（１９）前記第１の吸収手段１１８ｃおよび第２の吸収手段１１８ｄに対する前記フィードストリーム４５ｂ、３８ｂ、３９ａの量および温度の調節に適応し、前記相対的に揮発性が低い留分４４中の成分の大部分が回収されるような温度に前記第１の吸収手段１１８ｃの上部領域の温度を維持する制御手段１１８ｃと
を備えた、装置。
【請求項１５】
（ａ）前記合流手段を、前記熱交換手段１０並びに前記熱および物質移動手段１１８ｅに接続し、前記冷却された第１の部分３２ａおよび前記冷却された第２の部分３３ａを受け入れ、部分的に凝縮されたガスストリーム３１ａを形成し、
（ｂ）分離手段１２を、前記合流手段に接続し、前記部分的に凝縮されたガスストリーム３１ａを受け入れ、それを蒸気ストリーム３４と少なくとも１つの液体ストリーム３５とに分離し、
（ｃ）前記第２の分離手段を、前記分離手段１２に接続し、前記蒸気ストリーム３４を受け入れ、それを第１のストリーム３６および第２のストリーム３９に分離し、
（ｄ）第４の膨張手段１７を、前記分離手段１２に接続し、前記少なくとも１つの液体ストリーム３５の少なくとも一部４０を受け入れ、前記より低圧に膨張させ、前記第４の膨張手段１７を前記第２の吸収手段１１８ｄにさらに接続して、追加的な底部フィードとして前記膨張した液体ストリーム４０ａをそこに供給する、
請求項１４に記載の装置。
【請求項１６】
（ａ）追加的な合流手段を、前記第２の分離手段および前記分離手段１２に接続し、前記第１のストリーム３６および前記少なくとも１つの液体ストリーム３５の少なくとも一部３７を受け入れ、合流したストリーム３８を形成し、
（ｂ）前記第１の熱交換手段１０を、前記第追加的な合流手段にさらに接続し、前記合流したストリーム３８を受け入れ、それを実質的に凝縮するように十分に冷却し、
（ｃ）前記第１の膨張手段１４を、前記熱交換手段１０に接続し、前記実質的に凝縮された合流したストリーム３８ａを受け入れ、それをより低圧３８ｂに膨張し、
（ｄ）前記第１の吸収手段１１８ｃおよび第２の吸収手段１１８ｄを、前記第１の膨張手段１４に接続し、前記膨張させて冷却した合流したストリーム３８ｂを、前記第１の吸収手段１１８ｃおよび第２の吸収手段１１８ｄの間の前記フィードとして受け入れ、
（ｅ）前記第４の膨張手段１７を前記分離手段１２に接続して、前記少なくとも１つの液体ストリーム３５の残りの全ての部分４０を受け入れ、前記より低圧４０ａに膨張させ、前記第４の膨張手段１７を前記第２の吸収手段１１８ｄにさらに接続して、前記追加的な第２の底部フィードとして前記膨張させた液体ストリーム４０ａをそこに供給する、
請求項１５に記載の装置。
【請求項１７】
（ａ）前記熱交換手段１０を、前記熱および物質移動手段１１８ｅにさらに接続し、前記冷却された第２の部分３３ａ、３８を受け入れ、さらにそれ３８ａを実質的に凝縮するように十分に冷却し、
（ｂ）前記第１の膨張手段１４を、前記熱交換手段１０に接続し、前記実質的に凝縮された第２の部分３８ａを受け入れ、それをより低圧３８ｂに膨張させ、
（ｃ）前記第１の吸収手段１１８ｃおよび第２の吸収手段１１８ｄを、前記第１の膨張手段１４に接続し、前記第１の吸収手段１１８ｃおよび第２の吸収手段１１８ｄの間に前記フィードとして前記膨張させて冷却した第２の部分３８ｂを受け入れ、
（ｄ）前記第２の膨張手段１５を前記熱交換手段１０に接続し、前記冷却した第１の部分３２ａを受け入れ、前記より低圧３４ａに膨張させ、前記第２の膨張手段１５を前記第２の吸収手段１１８ｄにさらに接続して、前記第２の膨張手段１５を前記底部フィードとして前記膨張させて冷却した第１の部分３４ａをそこに供給する、
請求項１４に記載の装置。
【請求項１８】
（ａ）前記熱交換手段１０を、前記第１の分割手段にさらに接続し、前記第１の部分３２を受け入れ、さらにそれ３２ａを部分的に凝縮するように十分に冷却し、
（ｂ）分離手段１２を、前記熱交換手段１０に接続し、前記部分的に凝縮された第１の部分３２ａを受け入れ、それを、蒸気ストリーム３４と少なくとも１つの液体ストリーム３５とに分離し、
（ｃ）前記第２の膨張手段１５を、前記分離手段１２に接続し、前記蒸気ストリーム３４を受け入れ、それを前記より低圧３４ａに膨張させ、前記第２の膨張手段１５を、前記第２の吸収手段１１８ｄにさらに接続し、前記膨張された蒸気ストリーム３４ａを前記第１の底部フィードとしてそこに供給し、
（ｄ）第４の膨張手段１７を、前記分離手段１２に接続し、前記少なくとも１つの液体ストリーム３５の少なくとも一部４０を受け入れ、前記より低圧４０ａに膨張させ、前記第４の膨張手段１７を前記第２の吸収手段１１８ｄにさらに接続し、前記膨張させた液体ストリーム４０ａを追加的な底部フィードとしてそこに供給する、
請求項１７に記載の装置。
【請求項１９】
（ａ）追加的な合流手段を、前記熱および物質移動手段１１８ｅ並びに前記分離手段１２に接続し、前記冷却された第２の部分３３ａおよび前記少なくとも１つの液体ストリーム３５の少なくとも一部３７を受け入れ、合流したストリーム３８を形成し、
（ｂ）前記熱交換手段１０を前記追加的な合流手段にさらに接続し、前記合流したストリーム３８を受け入れ、それ３８ａを実質的に凝縮するように十分に冷却し、
（ｃ）前記第１の膨張手段１４を前記熱交換手段１０に接続し、前記実質的に凝縮された合流したストリーム３８ａを受け入れ、それをより低圧３８ｂに膨張させ、
（ｄ）前記第１の吸収手段１１８ｃおよび前記第２の吸収手段１１８ｄを、前記第１の膨張手段１４に接続し、前記膨張させて冷却した合流したストリーム３８ｂを、前記第１の吸収手段１１８ｃおよび前記第２の吸収手段１１８ｄの間の前記フィードとしてそこに受け入れ、
（ｅ）前記第４の膨張手段１７を、前記分離手段１２に接続し、前記少なくとも１つの液体ストリーム３５の残りの全ての部分４０を受け入れ、それを前記より低圧４０ａに膨張させ、前記第４の膨張手段１７を前記第２の吸収手段１１８ｄにさらに接続し、前記膨張された液体ストリーム４０ａを前記追加的な底部フィードとしてそこに供給する、
請求項１８に記載の装置。
【請求項２０】
（１）前記熱および物質移動手段１１８ｅが上部および下部領域に配置されており、
（２）前記処理組立体１１８が前記第４の膨張手段１７に接続されており、前記膨張された液体ストリーム４０ａを受け入れ、それを前記熱および物質移動手段１１８ｅの前記上部領域と前記下部領域との間に導く、請求項１５、１６、１８、または１９に記載の装置。
【請求項２１】
前記分離手段１１８ｆを、前記処理組立体１１８に収容する、請求項１５、１６、１８、１９、または２０に記載の装置。
【請求項２２】
（１）ガス収集手段１１８ｆを前記処理組立体１１８に収容し、
（２）外部の冷却媒体に通じる１つ以上のパスを含む追加的な熱および物質移動手段が、前記ガス収集手段１１８ｆ内部に含まれており、
（３）前記ガス収集手段１１８ｆを前記合流手段に接続し、前記冷却されたガスストリーム３１ａを受け入れ、それを前記外部の冷却媒体によりさらに冷却される前記追加的な熱および物質移動手段に導き、
（４）前記第２の分離手段が前記ガス収集手段１１８ｆに接続するように適応し、前記さらに冷却されたガスストリーム３４を受け入れ、それを前記第１のストリーム３６と第２のストリーム３９とに分離する、
請求項１４に記載の装置。
【請求項２３】
（１）ガス収集手段１１８ｆを前記処理組立体１１８に収容し、
（２）外部の冷却媒体に通じる１つ以上のパスを含む追加的な熱および物質移動手段が、前記ガス収集手段１１８ｆ内部に含まれており、
（３）前記ガス収集手段１１８ｆを前記熱交換手段１０に接続し、前記冷却された第１の部分３２ａを受け入れ、それを前記外部の冷却媒体によりさらに冷却される前記追加的な熱および物質移動手段に導き、
（４）前記第２の膨張手段１５が前記ガス収集手段１１８ｆに接続するように適応し、前記さらに冷却された第１の部分３４を受け入れ、それを前記より低圧３４ａに膨張し、前記第２の吸収手段１１８ｄにさらに接続し、前記膨張されてさらに冷却された第１の部分３４ａを前記底部フィードとしてそこに供給する、
請求項１７に記載の装置。
【請求項２４】
（１）外部の冷却媒体に通じる１つ以上のパスを含む追加的な熱および物質移動手段が、前記分離手段１２内部に含まれており、
（２）前記蒸気ストリームを、前記外部の冷却媒体により冷却される前記追加的な熱および物質移動手段に導き、追加的な凝縮物を形成し、
（３）前記凝縮物を、前記そこで分離された少なくとも１つの液体ストリーム３５の一部とする、
請求項１５、１６、１８、１９、２０、または２１に記載の装置。
【請求項２５】
前記熱および物質移動手段１１８ｅが、前記蒸留液体ストリームから出た前記より高い揮発性成分を前記ストリッピングするために、前記第２の部分３３により供給される加熱を補う外部の加熱媒体に通じる１つ以上のパスを含む、請求項１４、１５、１６、１７、１８、１９、２０、２１、２２、２３、または２４に記載の装置。